(57)【要約】      （修正有）【課題】測定対象物の温度を正確に推定して正確な塩度測定が可能な電子式塩分計を提供する。【解決手段】一対のセンサピン１３と、いずれか一つのセンサピンに内蔵され測定対象物の温度を感知するための温度センサ１８と、電気伝導率方式で測定対象物の塩度を測定するための塩度測定部１１０と、測定対象物の温度を測定するための温度測定部１０６と、制御信号に応じて温度測定部によって測定された温度を所定の温度補正テーブルにより補償して測定された温度を測定対象物の実際温度に補正する温度補正部１０８と、制御信号に応じて温度補正部によって補正された温度と塩度測定部の測定値を常温の塩度値に変換する常温塩度変換部１１２と、ボタン操作部２３と、表示部２２とから構成される。【選択図】図４
2010256321.tif 000002
【特許請求の範囲】
【請求項１】
測定対象物と接触される測定部に位置し測定対象物に電圧を印加するための一対のセンサピンと、
いずれか一つのセンサピンに内蔵され測定対象物の温度を感知するための温度センサと、
前記センサピンに交流電源を印加して電気伝導率方式で測定対象物の塩度を測定するための塩度測定部と、
前記温度センサに電源を印加して測定対象物の温度を測定するための温度測定部と、
制御信号に応じて前記温度測定部によって測定された温度を所定の温度補正テーブルにより補償して測定された温度を測定対象物の実際温度に補正する温度補正部と、
制御信号に応じて前記温度補正部によって補正された温度と前記塩度測定部の測定値を  常温の塩度値に変換する常温塩度変換部と、
使用者の操作入力を受けるためのボタン操作部と、
温度と常温塩度を表示するための表示部と、
前記ボタン操作部を介して自動測定が入力されると、前記センサピンが導通しているか否かを監視していて、前記センサピンが測定対象物によって導通状態になると内蔵タイマーを作動させ、前記内蔵タイマーが設定された時間になると前記温度測定部と前記塩度測定部とを制御して温度と塩度を測定させ、前記温度補正部と前記常温塩度変換部とを制御して前記常温塩度変換部から常温での塩度値を受信して前記表示部に温度と常温塩度を表示するように制御する制御部と、から構成されることを特徴とする電子式塩分計。
【請求項２】
前記電子式塩分計は、
前記測定部がスプーン型または棒型に形成されており、スプーン型である場合は測定部が本体から分離可能に形成されることを特徴とする請求項１に記載の電子式塩分計。
【請求項３】
前記温度補正部の温度補正テーブルは、
前記測定部の温度が常温である状態で測定対象物に接触した後、所定時間が経過した時点での測定温度と実際温度のデータを求めてテーブル化したことを特徴とする請求項１に記載の電子式塩分計。
【請求項４】
測定対象物と接触される測定部に位置し測定対象物に電圧を印加するための一対のセンサピンと、
いずれか一つのセンサピンに内蔵され測定対象物の温度を感知するための温度センサと、
前記センサピンに交流電源を印加して電気伝導率方式で測定対象物の塩度を測定するための塩度測定部と、
前記温度センサに電源を印加して測定対象物の温度を測定するための温度測定部と、
制御信号に応じて測定を開始した後、所定時間間隔で前記温度測定部によって予備測定された温度値を保存し、現在の温度と前の温度とを比較して温度変化量を求めた後、前記温度変化量が所定しきい値以下になると熱平衡状態に到達したと判断して前記塩度測定部と前記温度測定部とに実際の測定を指示する熱平衡検出部と、
前記温度測定部の測定温度と前記塩度測定部の塩度値を常温の塩度値に変換する常温塩度変換部と、
使用者の操作入力を受けるためのボタン操作部と、
温度と塩度を表示するための表示部と、
前記ボタン操作部を介して自動測定が入力されると、前記センサピンが導通しているか否かを監視していて、前記センサピンが測定対象物によって導通状態になると前記熱平衡検出部を作動させ、熱平衡状態に到達すると前記常温塩度変換部から常温での塩度値を受信して前記表示部に温度と塩度を表示するように制御する制御部と、から構成されることを特徴とする電子式塩分計。
【請求項５】
前記電子式塩分計は、
前記測定部がスプーン型または棒型に形成されており、スプーン型である場合は測定部が本体から分離可能に形成されることを特徴とする請求項４に記載の電子式塩分計。
【請求項６】
制御信号に応じて普段は節電モードで常時電源を出力し、測定時には回路を正常動作させるための測定電源を出力する電源部と、
測定対象物と接触する測定部に位置し測定対象物に電圧を印加するための一対のセンサピンと、
いずれか一つのセンサピンに内蔵され測定対象物の温度を感知するための温度センサと、
前記センサピンに交流電源を印加して電気伝導率方式で測定対象物の塩度を測定するための塩度測定部と、
前記温度センサに電源を印加して測定対象物の温度を測定するための温度測定部と、
制御信号に応じて前記温度測定部によって測定された温度を所定の温度補正テーブルにより補償して測定された温度を測定対象物の実際温度に補正する温度補正部と、
制御信号に応じて前記温度補正部によって補正された温度と前記塩度測定部の測定値を常温の塩度値に変換する常温塩度変換部と、
前記常時電源によって動作しながら前記センサピンが導通しているか否かによって測定の開始を感知するための測定監視部と、
温度と常温塩度を表示するための表示部と、
前記測定監視部が測定を感知すると、前記電源部が前記測定電源を出力するとともに内蔵タイマーを作動させ、前記内蔵タイマーが設定された時間になると前記温度測定部と前記塩度測定部とを制御して温度と塩度を測定させ、前記温度補正部と前記常温塩度変換部とを制御して前記常温塩度変換部から常温での塩度値を受信して前記表示部に温度と常温塩度を表示するように制御する制御部と、から構成されることを特徴とする電子式塩分計。
【請求項７】
前記電子式塩分計は、
前記測定部がスプーン型または棒型に形成されており、スプーン型である場合は測定部が本体から分離可能に形成されることを特徴とする請求項６に記載の電子式塩分計。
【請求項８】
前記温度補正部の温度補正テーブルは、
前記測定部の温度が常温である状態で測定対象物に接触された後、所定時間が経過した時点での測定温度と実際温度のデータを求めてテーブル化したことを特徴とする請求項６に記載の電子式塩分計。
【請求項９】
前記電子式塩分計は、
測定が終了すると前記制御部の制御に応じて振動することで測定が終了したことを知らせる振動部をさらに具備することを特徴とする請求項６に記載の電子式塩分計。
【請求項１０】
制御信号に応じて普段は節電モードで常時電源を出力し、測定時には回路を正常動作させるための測定電源を出力する電源部と、
測定対象物と接触する測定部に位置し測定対象物に電圧を印加するための一対のセンサピンと、
いずれか一つのセンサピンに内蔵され測定対象物の温度を感知するための温度センサと、
前記センサピンに交流電源を印加して電気伝導率方式で測定対象物の塩度を測定するための塩度測定部と、
前記温度センサに電源を印加して測定対象物の温度を測定するための温度測定部と、
制御信号に応じて測定が開始した後、所定時間間隔で前記温度測定部によって予備測定された温度値を保存し、現在の温度と前の温度とを比較して温度変化量を求めた後、前記温度変化量が所定しきい値以下になると熱平衡状態に到達したと判断して前記塩度測定部と前記温度測定部とに実際の測定を指示する熱平衡検出部と、
前記温度測定部の測定温度と前記塩度測定部の塩度値を常温の塩度値に変換する常温塩度変換部と、
前記常時電源によって動作しながら前記センサピンが導通しているか否かによって測定の開始を感知するための測定監視部と、
温度と塩度を表示するための表示部と、
前記測定監視部を介して測定が感知されると、前記熱平衡検出部を介して熱平衡状態を監視し熱平衡状態に到達すると前記常温塩度変換部から常温での塩度値を受信して前記表示部に温度と塩度を表示するように制御する制御部と、から構成されることを特徴とする電子式塩分計。
【請求項１１】
前記電子式塩分計は、
前記測定部がスプーン型または棒型に形成されており、スプーン型である場合は測定部が本体から分離可能に形成されることを特徴とする請求項１０に記載の電子式塩分計。
【請求項１２】
前記電子式塩分計は、
測定が終了すると前記制御部の制御に応じて振動することで測定が終了したことを知らせる振動部をさらに具備したことを特徴とする請求項１０に記載の電子式塩分計。
【発明の詳細な説明】
【技術分野】
【０００１】
本発明は、電子式塩分計に関し、さらに詳しくは各種ボタンを除去して使用が便利で完全防水を可能にしながら、測定対象物の温度を正確に推定して正確な塩度測定が可能な電子式塩分計に関する。
【背景技術】
【０００２】
最近、ウェルビーイング、健康に対する一般人の関心が高まることに伴い、塩分の多い食べ物が高血圧の主な発生要因の一つということが明らかになり、食べ物に含まれた塩分を測定する塩分計に対する関心が増大している。
【０００３】
食べ物や海水など測定対象物の塩度を測定する方式としては、測定対象物に含まれている塩分の量によって電気伝導率が異なるという点を利用した電気伝導率（ｃｏｎｄｕｃｔｉｖｉｔｙ）方式と、測定対象物内に含まれた塩分の量によって光の屈折具合が変わる原理を利用した反射率計（ｒｅｆｌｅｃｔｏｍｅｔｅｒ）方式が知られている。
【０００４】
電気伝導率方式は測定対象物に溶け込んでいるイオン化された塩分（電解質）による伝導率を、二つの電極の間に流れる電流の大きさを用いて測定する方式である。また、塩度は温度に影響されるものであり、通常、１℃の温度変化があると、塩度には約２％程度の変化が起こるということが知られている。
【０００５】
したがって、塩度を正確に測定するためには温度を正確に測定することが非常に重要であり、また、使用者の混同を避けるために測定対象物の塩度は常温（２５℃）における塩度（単位：％又はｐｐｔ）に単一化して表示することが好ましいとされており、常温以外の温度で測定された塩度を常温での塩度に変換して表示する必要がある。
【発明の概要】
【発明が解決しようとする課題】
【０００６】
温度によって塩度が異なるので正確な塩度を測定するためには測定対象物の塩度測定時に測定対象物の実際温度を正確に測定することが非常に重要である。
【０００７】
ところが、電気伝導率方式で塩度を測定する従来の電子式塩分計は、その構造上、熱い汁の塩度を正確に測定できない上、塩度測定時の実際温度を正確に測定することができないため測定された塩度の正確度が落ちるという問題点がある。
【０００８】
また、従来の電子式塩分計は電源の切り替えや測定の制御を行うための操作ボタンを具備しているため使用が不便で、測定部を完全防水構造にすることが難しいという問題点がある。
【０００９】
本発明は上記のような問題点を解消するために提案されたものであり、本発明の目的は、測定開始後に所定時間の間の測定温度と実際温度との関係をあらかじめ予測して測定された温度を測定対象物の実際温度に補正することで短い時間内に正確に塩度を測定できる電子式塩分計を提供することにある。
【００１０】
本発明の他の目的は、温度センサによって感知される温度変化を追いかけて温度変化がしきい値（ｔｈｒｅｓｈｏｌｄ）以下に落ちた場合には、熱平衡状態に到達したと推定してこれを表示するとともに、温度と塩度を測定することで正確度を向上させた電子式塩分計を提供することにある。
【００１１】
本発明のさらに他の目的は、節電モードで動作中には測定中であるか否かを常に監視し、測定物との接触が感知されると、自動的に電源がオンにされ正常モードで動作するようにすることで、電源ボタンや測定ボタンを除去したので使用が簡便で完全防水を可能にした電子式塩分計を提供することにある。
【課題を解決するための手段】
【００１２】
前記のような目的を達成するために本発明の電子式塩分計は、測定対象物に電源を印加するための一対のセンサピンと、いずれか一つのセンサピンに内蔵され測定対象物の温度を感知するための温度センサと、前記センサピンに交流電源を印加して電気伝導率方式で測定対象物の塩度を測定するための塩度測定部と、前記温度センサに電源を印加して測定対象物の温度を測定するための温度測定部と、制御信号に応じて前記温度測定部によって測定された温度を所定の温度補正テーブルにより補償して測定された温度を測定対象物の実際温度に補正する温度補正部と、制御信号に応じて前記温度補正部によって補正された温度と前記塩度測定部の測定値を常温の塩度値に変換する常温塩度変換部と、使用者の操作入力を受けるためのボタン操作部と、温度と常温塩度を表示するための表示部と、前記ボタン操作部を介して自動測定が入力されると、前記センサピンが導通しているか否かを監視していて、前記センサピンが測定対象物によって導通状態になると内蔵タイマーを作動させ、前記内蔵タイマーが設定された時間になると前記温度測定部と前記塩度測定部とを制御して温度と塩度を測定させ、前記温度補正部と前記常温塩度変換部とを制御して前記常温塩度変換部から常温での塩度値を受信して前記表示部に温度と常温塩度を表示するように制御する制御部と、から構成されることを特徴とする。
【００１３】
前記のような目的を達成するために本発明の他の電子式塩分計は、測定対象物に電源を印加するための一対のセンサピンと、いずれか一つのセンサピンに内蔵され測定対象物の温度を感知するための温度センサと、前記センサピンに交流電源を印加して電気伝導率方式で測定対象物の塩度を測定するための塩度測定部と、前記温度センサに電源を印加して測定対象物の温度を測定するための温度測定部と、制御信号に応じて測定開始後に所定時間間隔で前記温度測定部によって予備測定された温度値を保存し、現在の温度と前の温度とを比較して温度変化量を求めた後、前記温度変化量が所定しきい値以下になると熱平衡状態に到達したと判断して前記塩度測定部と前記温度測定部とに実際の測定を指示する熱平衡検出部と、前記温度測定部の測定温度と前記塩度測定部の塩度値を常温の塩度値に変換する常温塩度変換部と、使用者の操作入力を受けるためのボタン操作部と、温度と塩度を表示するための表示部と、前記ボタン操作部を介して自動測定が入力されると、前記センサピンが導通しているか否かを監視していて、前記センサピンが測定対象物によって導通状態になると前記熱平衡検出部を作動させ、熱平衡状態に到達すると前記常温塩度変換部から常温での塩度値を受信して前記表示部に温度と塩度を表示するように制御する制御部と、から構成されることを特徴とする。
【発明の効果】
【００１４】
本発明による電子式塩分計は、測定開始後に所定時間の間の測定温度と実際温度との関係をあらかじめ予測して測定された温度を測定対象物の実際温度に補正することで短い時間内に正確に塩度を測定できる。
【００１５】
また、本発明による電子式塩分計は、温度センサによって感知される温度変化を追いかけて温度変化がしきい値以下に落ちた場合には熱平衡状態に到達したと推定してこれを表示するとともに温度と塩度を測定することで正確度を向上させることができる。
【００１６】
さらに、本発明による電子式塩分計は、操作のためのボタンを全て除去した後、測定対象物に投入したとき自動的に電源がオンにされるようにして自動的に測定を行うとともに測定が終了した時に振動でこれを知らせるので使用が非常に便利で、測定部を完全防水構造にすることが容易であるという効果がある。
【図面の簡単な説明】
【００１７】
【図１】本発明によるスプーン型電子式塩分計を示した斜視図である。
【図２】本発明によるスプーン型電子式塩分計の使用状態図である。
【図３】本発明によるスプーン型電子式塩分計の分離斜視図である。
【図４】本発明の第１実施の形態による電子式塩分計の構成ブロック図である。
【図５】本発明の第１実施の形態による電子式塩分計のＬＣＤ表示画面を例示した図である。
【図６】本発明の第１実施の形態による電子式塩分計の動作手順を示したフローチャートである。
【図７】本発明の第１実施の形態による電子式塩分計の動作を説明するための図である。
【図８】本発明の第２実施の形態による電子式塩分計の構成ブロック図である。
【図９】本発明の第２実施の形態による電子式塩分計の動作手順を示したフローチャートである。
【図１０】本発明の第２実施の形態による電子式塩分計の動作を説明するための図である。
【図１１】本発明による棒型電子式塩分計を示した斜視図である。
【図１２】本発明による棒型電子式塩分計の使用状態図である。
【図１３】本発明の第３実施の形態による電子式塩分計の構成ブロック図である。
【図１４】本発明の第３実施の形態による電子式塩分計の動作手順を示したフローチャートである。
【図１５】本発明の第４実施の形態による電子式塩分計の構成ブロック図である。
【図１６】本発明の第４実施の形態による電子式塩分計の動作手順を示したフローチャートである。
【発明を実施するための形態】
【００１８】
本発明と本発明の実施によって達成される技術的課題は、次に説明する本発明の好ましい実施の形態によってより明確になるであろう。次の実施の形態は 本発明を説明するために例示したものにすぎず、本発明の範囲を制限するためのものではない。
【００１９】
先ず、本発明の電子式塩分計は、測定部の形状によってスプーン型と棒（針）型に区分することができ、塩度測定方式によって所定時間測定方式と熱平衡感知測定方式に区分することができ、電源制御方式によって電源オン／オフボタンを使用するボタン構造型と測定を感知すると自動的に電源がオン状態になるようにすることでボタンを除去したボタン無し自動オンタイプに区分することができる。ボタン無し自動オン機能は測定部の形状がスプーン型である場合にも棒型である場合にも適用することができるが、反復を避けるために本発明の実施の形態のおいては、測定部がスプーン型である場合にはボタン構造を例にあげて説明し、棒型である場合にはボタン無し構造を例にあげて説明する。
【００２０】
本発明の実施の形態で第１実施の形態は、ボタンを有し測定部の形状はスプーン型で所定時間の間測定を行うする方式であり、第２実施の形態はボタンを有し測定部の形状はスプーン型で熱平衡を感知して測定する方式であり、第３実施の形態はボタンを有しない（ボタン無し）測定部の形状は棒型で所定時間の間測定する方式であり、第４実施の形態はボタンを有しない（ボタン無し）測定部の形状は棒型で熱平衡を感知して測定する方式である。
【００２１】
［第１実施の形態］
図１は本発明によるスプーン型電子式塩分計を示した斜視図であり、図２は本発明によるスプーン型電子式塩分計の使用状態図であり、図３は本発明によるスプーン型電子式塩分計の分離斜視図である。
【００２２】
本発明によるスプーン型電子式塩分計１００は、図１乃至図３に示すように、測定対象物（図２の４０）を掬い取ることのできる測定容器１０と、測定容器１０に入れてある測定対象物の温度と塩度を測定して常温での塩度で表示する本体２０と、からなり、測定容器１０と本体２０はリングホルダー３０によってねじ結合されるとともに、リングホルダー３０を緩めることで互いに分離できるように形成されている。
【００２３】
測定容器１０は支持台１１の一端部が測定対象物４０を掬い取ることのできるスプーン１２になっており、スプーン１２の底面には塩度と温度を感知するための一対のセンサピン１３が突出しており、支持台１１の内部には図示していない電気線がコネクタ１６を介して本体２０の連結ピン２６と連結され得るようになっている。支持台１１の他端部には本体２０との結合のための結合部１４が形成されるとともに、スプーン１２と結合部１４との間の支持台１１に前後移動が可能にリングホルダー３０が挟まれており、リングホルダー３０は結合部の顎部１７によって抜けられないようになっている。このような測定容器１０はプラスチック射出物等で製造され得る。
【００２４】
本体２０はプリント回路基板（ＰＣＢ）とバッテリなどを格納できるように内部が空いている円筒状のケース２１にＬＣＤ表示部２２とボタン操作部２３とが付着されており、ケース２１の一端部にはリングホルダー３０との結合のためのねじ山２１ａが形成されるとともに、他端部にはアクセサリー取り付け用の輪が形成された乾電池キャップ２４が結合されている。また、ケース２１の内側には測定容器のガイド溝１５ａ、１５ｂに対応するガイド２５ａ、２５ｂが形成され測定容器のコネクタ１６と本体の連結ピン２６とが正確に結合できるようになっている。
【００２５】
図４は本発明の第１実施の形態による電子式塩分計の構成ブロック図であり、図５は本発明の第１実施の形態による電子式塩分計のＬＣＤ表示画面を例示した図である。
【００２６】
本発明の第１実施の形態による電子式塩分計１００は、図４に示すように、測定容器１０のスプーン１２に位置する一対のセンサピン１３がコネクタ１６を介して本体２０に連結されており、センサピン１３のうちいずれか一つには測定対象物の熱量を感知するためのサーミスタ（ＮＴＣ）１８が実装されている。本体２０の電気的な構成は、図４に示すように、バッテリ１０２、電源部１０４、温度測定部１０６、温度補正部１０８、塩度測定部１１０、常温塩度変換部１１２、制御部１１４、メモリ１１６、ＬＣＤ駆動部１１８、ＬＣＤ１２０、及びボタン操作部２２からなる。ここで、ボタン操作部２２は電源オン／オフ（ＯＮ／ＯＦＦ）ボタン２２ａと自動（Ａｕｔｏ）ボタン２２ｂと温度（ＴＥＭＰ）ボタン２２ｃとからなり、塩度測定部の一部、温度測定部の一部、常温塩度変換部、温度補正部、制御部、メモリ、ＬＣＤ駆動部は、フラッシュメモリとＬＣＤ駆動部とを有する単一のマイクロコントロールユニットマイコン（ＭＣＵ）であり得る。
【００２７】
図４に示すように、センサピン１３は白金メッキが施された銅のように伝導率と熱伝導特性が良好な金属からなり、内蔵されたサーミスタ１８に速かに熱を伝達できる構造になっている。センサピン１３は塩度測定部１１０に連結される電極であり、塩度測定部１１０により印加される交流電圧を測定対象物４０に伝達して測定対象物の塩度を電気伝導率方式で測定できる。塩度測定に交流電圧を用いるのは、直流電圧を使用する場合電極が腐食することを防止するためである。
【００２８】
サーミスタ１８は温度によって抵抗値が変化する素子であり、ＮＴＣとＰＴＣがあるが、温度センサには白金メッキが施されたＮＴＣが主に用いられており、温度測定部１０６に連結されセンサピン１３を介して伝達される測定対象物の温度を感知する。
【００２９】
電源部１０４は制御部１１４の電源（ＰＷＲ）オン／オフ制御信号に応じてバッテリ１０２から入力される電源を安定化させて回路素子にＶｃｃ電圧を供給し、制御部１１４の測定オン／オフ信号に応じてＭＶｃｃ電圧を塩度測定部１１０に供給する。
【００３０】
温度測定部１０６はセンサピン１３の導通によって測定が開示された時間を基準にして所定時間が経過した時点（例えば、１０秒）でサーミスタ１８を用いて流れる電流を検出することで測定対象物の温度を測定し、温度補正部１０８は次の表１のような温度補正テーブルを用いて温度測定部１０６によって測定された温度を実際温度に補正する。
【００３１】
【表１】
2010256321.tif 000003
【００３２】
前記表１のような温度補正テーブルは、測定容器１０の温度が常温である状態で測定対象物を測定容器のスプーン１２で掬い取って所定時間（例えば、１０秒）が経過した時点での測定温度と実際温度のデータを求めてテーブル化したものである。この時、同じ測定対象物であっても測定開始時の測定容器１０の温度によって１０秒が経過した時点の温度が異なることがあるので、測定開始時の測定容器１０の温度はできる限り常温に近いことが好ましい。したがって、本発明による電子式塩分計を複数回使用する場合には次の測定を始める前に水道水で測定容器１０を洗い流して測定容器１０の温度を常温に近づける必要がある。
【００３３】
塩度測定部１１０はＭＶｃｃ電源を交流電源に変換してセンサピン１３に交流電圧を印加するための発振回路を含んでおり、測定対象物を経由してセンサピン１３を介して流れる電流から測定対象物の伝導率を算出する電気伝導率方式で測定対象物の塩度を測定し、常温塩度変換部１１２は温度補正部１０８によって補正された測定対象物の実際温度と塩度測定部１１０によって測定された塩度を所定の変換式やテーブルを用いて常温での塩度値に変換する。
【００３４】
メモリ１１６はソフトウェアが保存されたフラッシュメモリ、データを保存するためのＳＲＡＭ、テーブル値を保存するためのＥＥＰＲＯＭなどからなり、制御部１１４はメモリ１１６に保存されたソフトウェアを実行してボタン操作部２２の電源ボタン２２ａがオンにされると電源部１０４を制御してＶｃｃ電源を供給させ、自動（Ａｕｔｏ）ボタン２２ｂがオンにされるとＭＶｃｃ電圧を供給させて塩度測定部１１０を介して測定対象物によって二つのセンサピン１３間が導通しているか否かを監視し、センサピン１３間が導通状態になると内蔵タイマーを動作させた後１０秒が経過すると温度測定部１０６と塩度測定部１１０とを制御して温度と塩度を測定させる。そして、常温塩度変換部１１２から入力された常温の塩度値をＬＣＤ駆動部１１８を介してＬＣＤ１２０に表示させる。
【００３５】
ＬＣＤ１２０は図５に示すように、ＬＣＤ駆動部１１８の駆動に応じてＡｕｔｏ、Ｈｏｌｄ、ローバッテリなどの動作状態や％、℃など単位、温度や塩度などの数字を表示できるようになっている。
【００３６】
図６は本発明の第１実施の形態による電子式塩分計１００の動作手順を示したフローチャートである。
【００３７】
図６に示すように、電源ボタン２２ａがオンにされると制御部１１４は電源部１０４がＶｃｃ電圧を供給するように制御することで各々の素子が初期動作を行うようにするとともにＬＣＤ画面をオンにする（Ｓ１０１、Ｓ１０２）。次いで、自動ボタン２２ｂがオンにされると、制御部１１４はＬＣＤ上にＡｕｔｏという文字を点滅させて自動測定状態であることを表示するとともに電源部１０４がＭＶｃｃ電源を出力するように制御した後、塩度測定部１１０を介してセンサピン１３が導通しているか否かを監視する（Ｓ１０３〜Ｓ１０６）。
【００３８】
測定物を投入することによりセンサピン１３が導通状態になると、制御部１１４は内蔵タイマーを動作させて時間をカウントし、所定の設定時間（例えば、１０秒）が経過すると、温度測定部１０６と塩度測定部１１０とに測定対象物の温度と塩度を測定させる（Ｓ１０７〜Ｓ１０８）。そして、ＨＯＬＤ状態であることを表示して測定が終了したことを表示し、測定された温度を温度補正テーブルによって実際温度に補正するとともに、実際温度と測定塩度を常温での塩度値に変換する（Ｓ１１０〜Ｓ１１２）。そして、常温での塩度値をＬＣＤ１２０上に表示し、電源がオンにされてから所定時間（例えば、５分）が経過するとバッテリの消耗を防止するために自動的に電源をオフにする（Ｓ１１３〜Ｓ１１５）。
【００３９】
一方、自動ボタン２２ｂがオンにされていない状態で測定容器１０を測定対象物４０に入れると補正テーブルでなく実際にセンサに伝達された温度を補償して測定することができ、温度ボタン２２ｃが入力されると測定された温度をＬＣＤ１２０上に表示する。
【００４０】
図７は本発明の第１実施の形態による電子式塩分計の動作を説明するための図である。
【００４１】
図７に示すように、使用者がｔ１時間にボタン操作部の電源ボタン２２ａを押して電源がオンにされると電源部１０４がＶｃｃ電圧を出力して回路素子を動作させ、ｔ２時間に自動ボタン２２ｂを押すと電源部１０４がＭＶｃｃ電圧を出力して塩度測定部１１０を動作させ、これにより塩度測定部１１０がセンサピン１３を常に監視し、ｔ３時間に測定容器１０に測定対象物が投入されるとセンサピン１３が導通状態になってタイマーが時間をカウントする。この時、高温の測定対象物が測定容器１０に投入されると、測定容器の温度は温度グラフから分かるように常温状態から急激に増加し、タイマーが１０秒をカウントしたｔ４時間に塩度測定部１１０と温度測定部１０６とが測定対象物の塩度と温度を実際に測定する。そして、温度測定部１０６で測定された温度は温度補正テーブルにより補正され、実際温度の塩度値は常温での塩度値に変換されてＬＣＤ１２０上に常温の塩度で表示される。
【００４２】
［第２実施の形態］
図８は本発明の第２実施の形態による電子式塩分計の構成ブロック図である。
【００４３】
本発明の第２実施の形態による電子式塩分計２００は、図８に示すように、第１実施の形態の温度補正部１０６が第２実施の形態では熱平衡検出部２１０に変更されたことを除けば他の構成は同じであるので重複を避けるために相違点を中心に説明する。第２実施の形態の電子式塩分計２００は、第１実施の形態のようにタイマーを用いて時間をカウントせず、測定が始まった後温度測定部１０６によって測定されたリアルタイム温度を熱平衡検出部２１０が受信して温度変化量を算出した後、温度変化量△Ｔが所定のしきい値△Ｔｃｕｔ以下になると温度センサの温度が測定物と同じ温度になる熱平衡状態に到達したと判断して実際の温度と塩度を測定するものである。
【００４４】
図８に示すように、電源ボタン２２ａがオンにされ自動ボタン２２ｂがオンにされると、制御部１１４は電源部１０４を制御してＭＶｃｃ電圧を出力させ、塩度測定部１１０はセンサピン１３間の導通を監視する。測定物の投入によりセンサピン１３間が導通状態になると、熱平衡検出部２１０は温度測定部１０６を介して測定対象物の温度を測定した後、前の測定温度と比較して温度変化量△Ｔを算出する。そして、温度変化量△Ｔが次第に小さくなって所定のしきい値△Ｔｃｕｔ以下になると熱平衡検出部２１０は熱平衡状態であると判断して温度測定部１０６と塩度測定部１１０とに温度と塩度をそれぞれ測定させる。測定された温度と塩度は常温塩度変換部１１２で常温での塩度値に変換された後、ＬＣＤ１２０上に常温の塩度で表示される。
【００４５】
図９は本発明の第２実施の形態による電子式塩分計２００の動作手順を示したフローチャートである。
【００４６】
図９に示すように、電源ボタン２２ａがオンにされると制御部１１４は電源部１０４がＶｃｃ電圧を供給するように制御して各々の素子に初期動作を行わせるとともにＬＣＤ画面をオンにする（Ｓ２０１、Ｓ２０２）。次いで、自動ボタン２２ｂがオンにされると、制御部１１４はＬＣＤ上にＡｕｔｏという文字を点滅させて自動測定状態を表示するとともに電源部１０４にＭＶｃｃ電源を出力させた後、塩度測定部１１０を介して測定物が投入されてセンサピン１３が導通しているか否かを監視する（Ｓ２０３〜Ｓ２０５）。
【００４７】
センサピン１３が導通状態になると、温度測定部１０６を介して温度を測定し、熱平衡検出部２１０は温度測定部１０６で測定された温度を保存した後、前の温度と比較して温度変化量△Ｔを算出する（Ｓ２０６、Ｓ２０７）。
【００４８】
そして、算出された温度変化量△Ｔを所定のしきい値△Ｔｃｕｔと比較してしきい値以下になると温度測定部１０６と塩度測定部１１０とに測定対象物の温度と塩度を測定させる（Ｓ２０８、Ｓ２０８）。そして、ＨＯＬＤ状態であると表示して測定が終了したことを表示し、測定温度と測定塩度を常温での塩度値に変換する（Ｓ２１０、Ｓ２１１）。そして、常温での塩度値をＬＣＤ上に表示し、電源がオンにされてから所定時間（例えば、５分）が経過するとバッテリの消耗を防止するために自動的に電源をオフにする（Ｓ２１２〜Ｓ２１４）。
【００４９】
図１０は本発明の第２実施の形態による電子式塩分計の動作を説明するための図である。
【００５０】
図１０に示すように、使用者がｔ１時間にボタン操作部２２の電源ボタン２２ａを押して電源がオンにされると電源部１０４がＶｃｃ電圧を出力して回路素子を動作させ、ｔ２時間に自動ボタン２２ｂを押すと電源部１０４がＭＶｃｃ電圧を出力して塩度測定部１１０を動作させ、これによって塩度測定部１１０がセンサピン１３を常に監視し、ｔ３時間に測定容器１０に測定対象物が投入されるとセンサピン１３が導通状態になり、熱平衡検出部２１０は温度測定部１０６で測定された温度を保存した後、現在の測定温度と前の測定温度を比較して温度変化量△Ｔを算出する。
【００５１】
そして、熱平衡検出部２１０は算出された温度変化量△Ｔをしきい値△Ｔｃｕｔと比較して温度変化量がしきい値以下になると熱平衡状態であると判断してｔ５時間に塩度測定部１１０と温度測定部１０６とに測定対象物の塩度と温度を実際に測定させる。この時、熱平衡に到達するまでの時間は測定対象物の温度と測定開始時の測定容器の温度によって異なる。また、実際温度の塩度値は常温での塩度値に変換されてＬＣＤ１２０上に常温の塩度で表示される。
【００５２】
［第３実施の形態］
図１１は本発明による棒型電子式塩分計を示した斜視図であり、図１２は本発明による棒型電子式塩分計の使用状態図である。
【００５３】
本発明による電子式塩分計３００は、図１１及び図１２に示すように、測定対象物に挿入できるようになっている測定バー３１０と測定バー３１０によって測定対象物の温度と塩度を測定して常温での塩度で表示する本体３２０とからなり、測定バー３１０と本体３２０は一体に結合されている。
【００５４】
測定バー３１０は先端に第１センサピン３１３ａが突出しており、絶縁体３１９を介在して第２センサピン３１３ｂが前後配列されて塩度を測定するための電極を構成しており、先端の第１センサピン３１３ａには温度を感知するための温度センサ３１８が内蔵され、熱伝逹を活発にするために温度センサ３１８とセンサピン３１３ａとの間にはサーマルクリームが充填されている。
【００５５】
本体３２０はプリント回路基板とバッテリなどを格納できるように内部が空いている四角い筒型のケース３２１に表示部３２２が付着されており、ケース３２１の端部には乾電池キャップ３２４が結合されている。このような棒型電子式塩分計３００には自動オン機能が採用され電源操作と測定のためボタンがすべて除去されている。
【００５６】
図１３は本発明の第３実施の形態による電子式塩分計の構成ブロック図である。
【００５７】
図１３に示すように、第１実施の形態と同じ構成要素に対しては同じ符号を付した後、反復を避けるためにそれ以上の説明は省略し、第１実施の形態との相違点を中心に説明する。
【００５８】
第３実施の形態は第１実施の形態のスプーン型測定容器１０が棒型測定バー３１０に変更され、ボタン操作部２２が除去された代りに測定の開始を監視するための測定監視部３３０が部がされ、電源部３０４が普段は節電モードで動作しながら常時電源を出力し、測定が開始されると測定電源を出力して全ての回路素子を正常動作させて塩度と温度を測定させるようにしたものである。即ち、本発明の第３実施の形態では測定監視部３３０が節電モードでセンサピン３１３ａ、３１３ｂ間が導通しているか否かを監視していて、測定バー３１０が測定対象物に接触して二つのセンサピン３１３ａ、３１３ｂ間が導通状態になるとこれを感知して制御部３１４に測定の開始を告知し、これにより制御部３１４が電源部３０４を制御して測定電源を出力して実際の測定が行われる。また、測定中にはＬＣＤ１２０に「測定中」と表示され、測定終了時には制御部３１４の制御に応じてＬＣＤ１２０に測定値を表示するとともに振動部３４０を振動させて振動で使用者に測定の終了を認識させる。
【００５９】
第３実施の形態による電子式塩分計３００の測定バー３１０は、第１センサピン３１３ａと第２センサピン３１３ｂが絶縁体３１９を介在して前後配列され、先端の第１センサピン３１３ａには温度を感知するための温度センサ３１８が内蔵されている。
【００６０】
第３実施の形態で電源部３０４の出力は常時電源と測定電源とに区分され、節電モードでは常時電源のみが出力されるが、測定が感知されると制御部３１４の制御（測定オン）に応じて測定電源が出力される。常時電源は節電モードで動作が必要な最小限の素子に印加される電源であって消費電流を最小化（例えば、約１０μＡ以下）する電源であり、測定電源は全体の回路素子を正常動作させる電源で測定対象物に対する塩度と温度を測定できるようにする電源である。そして、測定電源がオンにされ測定が終了して所定時間が経過すると電源部３０４は制御信号に応じて自動的に常時電源のみを出力して節電モードで動作する。
【００６１】
図１４は本発明の第３実施の形態による電子式塩分計１００の動作手順を示したフローチャートである。
【００６２】
図１４に示すように、第３実施の形態の電子式塩分計３００は別途のボタンが無いのでバッテリを挿入する時間を除けば、節電モードのための常時電源が出力される。常時電源によって動作する測定監視部３３０は二つのセンサピン３１３ａ、３１３ｂ間が導通しているか否かを監視する（Ｓ３０１、Ｓ３０２）。
【００６３】
測定対象物に測定バー３１０を投入してセンサピン３１３ａ、３１３ｂが導通状態になると、制御部３１４は内蔵タイマーを動作させて時間をカウントしＬＣＤ１２０に測定中であることを表示する（Ｓ３０３、Ｓ３０４）。
【００６４】
そして、所定の設定時間（例えば、４秒）が経過すると、温度測定部１０６と塩度測定部１１０に測定対象物の温度と塩度を測定させる（Ｓ３０５、Ｓ３０６）。次いで、測定された温度を温度補正テーブルにより実際温度に補正するとともに実際温度と測定塩度を常温での塩度値に変換する（Ｓ３０７、Ｓ３０８）。そして、常温での塩度値をＬＣＤ１２０上に表示するとともに振動で測定の終了を使用者に告知し、電源がオンにされた後所定時間（例えば、５分）が経過するとバッテリの消耗を防止するために自動的に測定電源をオフにする（Ｓ３０９〜Ｓ３１１）。この時、振動はバッテリの消耗を抑えるために数秒程度だけ振動することが好ましい。
【００６５】
［第４実施の形態］
図１５は本発明の第４実施の形態による電子式塩分計の構成ブロック図である。
【００６６】
図１５に示すように、第２実施の形態と同じ構成要素に対しては同じ符号を付した後、反復を避けるためにそれ以上の説明は省略し、第２実施の形態との相違点を中心に説明する。
【００６７】
第４実施の形態は第２実施の形態のスプーン型測定容器１０が棒型測定バー３１０に変更され、ボタン操作部２２が除去された代りに測定の開始を監視するための測定監視部４３０が部がされて電源部４０４が普段は節電モードで動作しながら常時電源を出力するが、測定が開始されると測定電源を出力して全ての回路素子を正常動作させて塩度と温度を測定させるようにしたものである。即ち、本発明の第４実施の形態では測定監視部４３０が節電モードでセンサピン４１３ａ、４１３ｂ間が導通しているか否かを監視していて、測定バー３１０が測定対象物に挿入されてセンサピン３１３ａ、３１３ｂが導通状態になるとこれを感知して制御部４１４に測定の開始を告知し、これにより制御部４１４が電源部４０４を制御して測定電源を出力して実際の測定を行わせる。
【００６８】
また、測定中にはＬＣＤ１２０に「測定中」と表示され、測定終了時には制御部４１４の制御に応じてＬＣＤ１２０に測定値を表示するとともに振動部４４０を振動させて振動で使用者に測定の終了を認識させる。
【００６９】
第４実施の形態による電子式塩分計４００の測定バー３１０は第１センサピン４１３ａと第２センサピン４１３ｂとが絶縁体４１９を介在して前後配列され、先端の第１センサピン４１３ａには温度を感知するための温度センサ４１８が内蔵されている。
【００７０】
第４実施の形態で電源部４０４の出力は常時電源と測定電源とに区分され、節電モードでは常時電源のみが出力されるが、測定が感知されると制御部４１４の制御（測定オン）に応じて測定電源が出力される。常時電源は節電モードで動作が必要な最小限の素子に印加される電源であって消費電流を最小化（例えば、約１０μＡ以下）する電源であり、測定電源は全体の回路素子を正常動作させる電源で測定対象物に対する塩度と温度を測定できるようにする電源である。
【００７１】
図１６は本発明の第４実施の形態による電子式塩分計４００の動作手順を示したフローチャートである。
【００７２】
図１６に示すように、第４実施の形態の電子式塩分計４００は別途のボタンが無いのでバッテリを挿入する時間を除けば節電モードのための常時電源が出力される。常時電源によって動作する測定監視部４３０は二つのセンサピン４１３ａ、４１３ｂ間が導通しているか否かを監視する（Ｓ４０１、Ｓ４０２）。
【００７３】
センサピン４１３ａ、４１３ｂが導通状態になると、ＬＣＤ１２０に測定中であることを表示するとともに温度測定部１０６を介して温度を測定し、熱平衡検出部２１０は温度測定部１０６で測定された温度を保存した後、前の温度と比較して温度変化量△Ｔを算出する（Ｓ４０３〜Ｓ４０５）。
【００７４】
そして、算出された温度変化量△Ｔを所定のしきい値△Ｔｃｕｔと比較してしきい値以下になると、温度測定部１０６と塩度測定部１１０に測定対象物の温度と塩度を測定させる（Ｓ４０６、Ｓ４０７）。次いで、測定温度と測定塩度を常温での塩度値に変換する（Ｓ４０８）。
【００７５】
また、常温での塩度値をＬＣＤ１２０上に表示するとともに振動部４４０を振動することで使用者に測定の終了を認識させ、電源がオンにされた後所定時間（例えば、５分）が経過するとバッテリの消耗を防止するために自動的に電源をオフにする（Ｓ４０９〜Ｓ４１１）。
【００７６】
以上、本発明は図面に図示された実施の形態を参照して説明されたが、本発明が属する技術分野の通常の知識を有する者であれば、本発明によって多様な変型及び均等な他の実施の形態を行うことが可能であることを理解できるはずである。
【符号の説明】
【００７７】
１０：測定容器
１１：支持台
１２：スプーン
１３：センサピン
１４：結合部
１５ａ、１５ｂ：ガイド溝
１６：コネクタ
１７：顎部
２０：本体
２１：ケース
２２：表示部
２３：ボタン操作部
２４：乾電池キャップ
２５ａ、２５ｂ：ガイド
２６：連結ピン
【図１】
2010256321.tif 000004
【図２】
2010256321.tif 000005
【図３】
2010256321.tif 000006
【図４】
2010256321.tif 000007
【図５】
2010256321.tif 000008
【図６】
2010256321.tif 000009
【図７】
2010256321.tif 000010
【図８】
2010256321.tif 000011
【図９】
2010256321.tif 000012
【図１０】
2010256321.tif 000013
【図１１】
2010256321.tif 000014
【図１２】
2010256321.tif 000015
【図１３】
2010256321.tif 000016
【図１４】
2010256321.tif 000017
【図１５】
2010256321.tif 000018
【図１６】
2010256321.tif 000019